(57)【特許請求の範囲】
【請求項１】
一の携帯端末が、撮像手段により撮影した人物のデータに基づいて、顔認証のためのデータが保存されている記憶部を参照して、顔認証を行った、その顔認証の結果データを取得した複数のエリアサーバから該顔認証の結果データを収集し、該結果データを分析し、その認証度が高い一のエリアを特定し、該一のエリアを管轄するエリアサーバに対して、該エリアサーバが管轄するエリアに位置する他の携帯端末に前記一の携帯端末が撮影した人物の顔認証を行うためのデータを送信させるべく、前記一の携帯端末が撮影した人物の顔認証を行うためのデータを配信することを特徴とする判定装置。
【請求項２】
撮像手段により撮影した人物のデータに基づいて、顔認証のためのデータが保存されている記憶部を参照して、顔認証を行う携帯端末と、
前記携帯端末から、その顔認証の結果データを取得し、該結果データを分析し、その認証度が高いときに、自機が管轄するエリアに位置する他の携帯端末に前記携帯端末が撮影した人物の顔認証を行うためのデータを送信するエリアサーバとからなる認証システムにおいて、
複数の前記エリアサーバから該顔認証の結果データを収集し、該結果データを分析し、その認証度が高い一のエリアを特定し、該一のエリアを管轄するエリアサーバに対して、該エリアサーバが管轄するエリアに位置する他の携帯端末に前記一の携帯端末が撮影した人物の顔認証を行うためのデータを送信させるべく、前記一の携帯端末が撮影した人物の顔認証を行うためのデータを配信する判定装置をさらに備えることを特徴とする認証システム。
【請求項３】
一の端末が、撮像手段により撮影した人物のデータに基づいて、顔認証のためのデータが保存されている記憶部を参照して、顔認証を行った、その顔認証の結果データを取得した複数のエリアサーバから該顔認証の結果データを収集し、該結果データを分析し、その認証度が高い一のエリアを特定し、該一のエリアを管轄するエリアサーバに対して、該エリアサーバが管轄するエリアに位置する他の端末に前記一の端末が撮影した人物の顔認証を行うためのデータを送信させるべく、前記一の端末が撮影した人物の顔認証を行うためのデータを配信することを特徴とするデータ配信方法。
【請求項４】
一の端末が、撮像手段により撮影した人物のデータに基づいて、顔認証のためのデータが保存されている記憶部を参照して、顔認証を行った、その顔認証の結果データを取得した複数のエリアサーバから該顔認証の結果データを収集し、該結果データを分析し、その認証度が高い一のエリアを特定し、該一のエリアを管轄するエリアサーバに対して、該エリアサーバが管轄するエリアに位置する他の端末に前記一の端末が撮影した人物の顔認証を行うためのデータを送信させるべく、前記一の端末が撮影した人物の顔認証を行うためのデータを配信する処理をコンピュータに実行させることを特徴とするプログラム。
【発明の詳細な説明】
【技術分野】
【０００１】
本発明は、顔認証処理を容易に行うための技術に関する。
【背景技術】
【０００２】
従来、指名手配犯などの特定人物の警察の捜査（調査）、逮捕のために、一般公衆が協力する際、交番などに張ってある指名手配犯の写真を記憶した一般人が、犯人と思われる人を見つけたときに、警察に届け出ることが必要であったり、空き巣など事件があったときの不審者の情報について警察官の聞き込みに対して口頭で回答することが必要であった。
【０００３】
ところが、指名手配犯と思っても記憶違いと思ったり、怖くて顔をよく覗けなかったりするため、また、不審者情報は聞き込みで聞いてまわる範囲が限定されており、時間が経過すると情報が陳腐化してしまい逮捕までになかなか至らないケースも多かった。
【０００４】
ここで、周囲の者を撮影するビデオカメラや、警察官が持ち歩く携帯電話機などと、その映像から顔画像を切出す顔検出部と、顔画像から利用者の顔特徴量データを作成する顔特徴量データ作成部と、登録情報データベースに登録された特定人物の顔特徴量データと利用者の顔特徴量データを照合する顔照合部と、照合結果から利用者の特定人物である可能性を判定する顔認証部と、利用者が特定人物である可能性が高い場合に警察署に報知するためのデータを生成して送信する報知データ生成部とを備えることで、検出対象の特定人物の顔画像データを用いて類似度の高い人物を検出して報知することができる技術が提案されている（例えば、特許文献１参照）。
【特許文献１】特開２００３−１８７３５２号公報
【発明の開示】
【発明が解決しようとする課題】
【０００５】
しかしながら、上述した従来例においては次のような問題点があった。
【０００６】
登録情報データベースを備えるサーバ装置のような集中管理機器で顔認証のデータを照合するのでは、警察官が持ち歩く携帯電話機が、例えば、建築物の陰、山間部、地下などの電波の届かない場所に存在している場合には、サーバ装置にアクセスすることができないため、直ちに顔認証を行うことができない。
【０００７】
また、認証処理を必要とする度に、サーバ装置へアクセスするためにネットワーク接続を行う必要があり、処理のための時間や手数がかかり、また、検索対象データの増大に伴い、検索処理を短時間で実行することが困難となる。
【０００８】
本発明は、以上説明した事情に鑑みてなされたものであり、その目的は、端末側で簡易に顔認証処理を実行し、どのような場所でも短時間で顔認証を行うことである。
【課題を解決するための手段】
【０００９】
上記課題を解決するために、本発明の判定装置は、一の携帯端末が、撮像手段により撮影した人物のデータに基づいて、顔認証のためのデータが保存されている記憶部を参照して、顔認証を行った、その顔認証の結果データを取得した複数のエリアサーバから顔認証の結果データを収集し、結果データを分析し、その認証度が高い一のエリアを特定し、一のエリアを管轄するエリアサーバに対して、エリアサーバが管轄するエリアに位置する他の携帯端末に一の携帯端末が撮影した人物の顔認証を行うためのデータを送信させるべく、一の携帯端末が撮影した人物の顔認証を行うためのデータを配信することを特徴とする。
【００１０】
また、本発明の認証システムは、撮像手段により撮影した人物のデータに基づいて、顔認証のためのデータが保存されている記憶部を参照して、顔認証を行う携帯端末と、携帯端末から、その顔認証の結果データを取得し、結果データを分析し、その認証度が高いときに、自機が管轄するエリアに位置する他の携帯端末に携帯端末が撮影した人物の顔認証を行うためのデータを送信するエリアサーバとからなる認証システムにおいて、複数のエリアサーバから顔認証の結果データを収集し、結果データを分析し、その認証度が高い一のエリアを特定し、一のエリアを管轄するエリアサーバに対して、エリアサーバが管轄するエリアに位置する他の携帯端末に一の携帯端末が撮影した人物の顔認証を行うためのデータを送信させるべく、一の携帯端末が撮影した人物の顔認証を行うためのデータを配信する判定装置をさらに備えることを特徴とする。
【００１１】
また、本発明のデータ配信方法は、一の端末が、撮像手段により撮影した人物のデータに基づいて、顔認証のためのデータが保存されている記憶部を参照して、顔認証を行った、その顔認証の結果データを取得した複数のエリアサーバから顔認証の結果データを収集し、結果データを分析し、その認証度が高い一のエリアを特定し、一のエリアを管轄するエリアサーバに対して、エリアサーバが管轄するエリアに位置する他の端末に一の端末が撮影した人物の顔認証を行うためのデータを送信させるべく、一の端末が撮影した人物の顔認証を行うためのデータを配信することを特徴とする。
【００１２】
また、本発明のプログラムは、一の端末が、撮像手段により撮影した人物のデータに基づいて、顔認証のためのデータが保存されている記憶部を参照して、顔認証を行った、その顔認証の結果データを取得した複数のエリアサーバから顔認証の結果データを収集し、結果データを分析し、その認証度が高い一のエリアを特定し、一のエリアを管轄するエリアサーバに対して、エリアサーバが管轄するエリアに位置する他の端末に一の端末が撮影した人物の顔認証を行うためのデータを送信させるべく、一の端末が撮影した人物の顔認証を行うためのデータを配信する処理をコンピュータに実行させることを特徴とする。
【発明の効果】
【００１５】
本発明によれば、端末側で簡易に顔認証処理を実行し、どのような場所でも短時間で顔認証を行うことができる。
【発明を実施するための最良の形態】
【００１６】
以下、本発明の第１の実施の形態について図面を参照して詳細に説明する。なお、各図において共通する部分には、同一の符号が付されている。
【００１７】
図１を参照すると、本実施の形態における認証システムは、システムサーバ１０と、携帯端末の所在を複数のエリアに分割統治するエリアサーバ２０の一例としてのエリアサーバ２０ａ、２０ｂと、エリアに配置されている複数の携帯端末の一例としての携帯端末３０１〜３０６とから構成されている。システムサーバ１０、エリアサーバ２０ａ、２０ｂおよび携帯端末３０１〜３０６は、プログラム制御により動作し、ネットワーク５００ないしは移動通信網を介して接続されている。ネットワーク５００は、任意のネットワークであってよく、例えば、光ファイバ、インターネット、公衆回線、ＬＡＮ（Local Area Network）、ＡＤＳＬ（Asymmetric Digital Subscriber Line）などであってもよい。なお、通信方法は、有線であっても、無線であってもよい。
【００１８】
システムサーバ１０は、ワーク・ステーションなどの情報処理装置であり、例えば、操作入力部と、ＲＯＭ（Read Only Memory）と、ＲＡＭ（Random Access Memory）と、通信インタフェースと、ＨＤ（Hard Disk）と、ＣＰＵ（Central Processing Unit）とを備え、これらの各部はバスによって接続されている。
【００１９】
操作入力部は、キーボードやマウスなどを備え、これらのキーボードやマウスの操作に応じた操作信号をＣＰＵに出力する。ＲＯＭには、装置各部の基本制御を司るプログラムが格納されている。また、ＲＡＭは、ＣＰＵのワークエリアとして用いられ、ＣＰＵにより実行されるプログラムや、各種データが一時的に格納される。
【００２０】
通信インタフェースは、インターネットに接続されており、通信装置との間で行われるデータ通信を制御する。
【００２１】
ＨＤには、オペレーティングシステムなどの自機を制御するための各種ソフトウェアが格納されている。
【００２２】
システムサーバ１０は、エリアサーバ２０ａ、２０ｂから撮像された画像データに基づく顔認証結果データを受け取り、より検索対象データに近い顔が撮像されているエリアのエリアサーバ２０を判定する機能を有している。
【００２３】
携帯端末３０１〜３０６は、例えば、携帯電話機、ＰＤＡ、ノート型パーソナルコンピュータなどの通信装置である。以下、本実施の形態では、説明の便宜のため、携帯電話機であるとする。
【００２４】
さらに、図２を参照して詳細に説明すると、携帯端末３０１〜３０６は、アンテナを介して、基地局との間で無線信号を送受する無線通信部３１と、画像情報の取得（撮影）を行う撮像部３２と、顔認証処理を実行する顔認証部３３と、顔認証ＤＢ３４とを備え、携帯電話機の既知の構成である、文字、画像などの各種情報表示出力を行う表示部３５と、各種情報操作入力を行う、テンキー、スクロール／決定キーを含んで構成される操作部３６と、その他、音声信号処理を行う音声処理部への入力、出力を行う送話部と、受話部と、楽音、報知音などを出力するスピーカと、電話帳情報、送受信メール情報、発着呼情報、コンテンツ情報、プログラム情報、携帯電話端末の各種設定などを格納するメモリと、電話機能、メール機能、ｗｅｂ接続（インターネット接続）機能、カメラ機能および携帯通信端末各部の制御を行う制御部などを備えている。また、メモリには、基地局ＩＤの他に、当該携帯電話機を一意に特定するための移動機ＩＤ（例えば、携帯電話機の電話番号やシリアルナンバーなど）が格納されていてもよい。また、自機の位置情報を取得するためのＧＰＳ機能を有していてもよい。顔データを送信するタイミングで、内蔵されるＧＰＳ受信機能で、ＧＰＳ衛星からの電波を受信し現在位置情報を取得する。なお、現在位置情報は、携帯電話機が、自機が在圏する無線セルをカバーする基地局と無線通信を行い、移動通信網により提供される通信サービスを受け、位置登録のために、自機を配下に有する基地局から当該基地局の識別情報（基地局ＩＤ）を間欠受信し、受信した基地局ＩＤをメモリに格納することで取得していてもよい。
【００２５】
顔認証ＤＢ３４は、例えば、警察署に設けられているサーバの所定のデータベースに格納されている多数の顔データのうちから、携帯電話機の限りあるメモリに応じた所定の大きさ、ないしは数（例えば、１０人分の顔データ）のデータを取得し、保存しているものとする。一例として、要注意人物の住所や犯罪発生現場に応じて、その近隣地域に住んでいるユーザの携帯電話機には、それら者のデータが保存されることで効率的な捜索を行うことができる。
【００２６】
移動通信網は、当該移動通信網に収容される携帯電話機に対して通信サービスを提供する網であり、基地局、サービス制御局およびゲートウェイサーバ、複数の交換局などを備えている。
【００２７】
基地局は、通信サービスエリア内に多数設置されており、自局のカバーする無線セルに在圏している携帯電話機と無線通信を行う。
【００２８】
ここで、本実施の形態では、この基地局がエリアサーバ２０ａ、ｂに該当し、その機能を実現するものとする。
【００２９】
次に、本実施の形態おける顔認証処理のフローについて説明する。図１に示す状況として、所定の基地局がカバーするエリア内に、複数のユーザが存在し、かつ、それらのユーザが携帯電話機を携帯しており、さらに、それらのユーザが用いる携帯電話機が本システムへの加入登録済みの装置であることを前提とする。
【００３０】
また、各携帯端末３０１〜３０６の顔認証ＤＢ３４には、所定の数の顔認証用データが保存されているものとする。
【００３１】
図３を参照すると、まず、各携帯端末３０１〜３０６は、その撮像を自機を通話や電子メールやＷｅｂコンテンツ閲覧などユーザがなんらかの用途に使用しているときに開始する（Ｓ３０１）。あるいは、まったく何の用途に供していないときであっても常に、所定のカメラ機構により実現される撮像部３２から自動的に行うことであってもよい。ユーザは何らの特別の操作をすることなく無意識のうちに撮像が開始される。
【００３２】
また、その撮像を自機を静止画や動画の撮影の用途に用いているときに、所定のカメラ機構により実現される撮像部３２から、背景として取得することであってもよい。ユーザは本来の静止画などの被写体の背景に写る人物を無意識のうちに撮像することとなる。
【００３３】
次に、各携帯端末３０１〜３０６の顔認証部３３は、撮像された静止画像データまたは、動画像データのうちからキャプチャされた静止画データに基づいて顔認証ＤＢ３４を参照して、顔認証処理を実行する（Ｓ３０２）。この顔認証処理は、既知の種々の技術が用いられることによって実行されてよい。
【００３４】
そして、各携帯端末３０１〜３０６の無線通信部３１は、認証結果データをエリアサーバ２０に送信する（Ｓ３０３）。ここでは、認証結果データを、「１．０」を顔の完全一致とする「０．０から１．０」までの少数とし、図１に示すように、携帯端末３０１は「０．１」、３０２は「０．３」、３０３は「０．２」をエリアサーバ２０ａに対して送信し、携帯端末３０４は「０．３」、３０５は「０．５」、３０６は「０．８」をエリアサーバ２０ｂに対して送信する。
【００３５】
エリアサーバ２０ａ、ｂは、各携帯端末３０１〜３０６から受信した、認証結果データをネットワーク５００を介してシステムサーバ１０に対して送信する（Ｓ３０４）。
【００３６】
システムサーバ１０は、エリアサーバ２０ａ、ｂから受信した各携帯端末３０１〜３０６における認証結果データを集計し、捜索対象人物が存在する可能性が高いエリアを解析する（Ｓ３０５）。例えば、図４に示すようなデータ分布があるときには、認証度が高い携帯端末が一台あるいは少数台だけであるが存在するので、そのエリアに捜索対象人がいる可能性が高いと判断することができる。そして、本システムの処理が実施されるにつれて、徐々に認証度の高い携帯端末の台数が増えていくような分布図となる。また、一のエリアの解析対象のデータの平均値よりも際立って高い認証度を示す携帯端末が存在するときにもそのエリアに捜索対象人がいる可能性が高いと判断することができる。
【００３７】
システムサーバ１０は、上記のステップＳ３０５での解析の結果、複数のエリアのうちから捜索対象人物が存在する可能性が高い一のエリアを特定する（Ｓ３０６）。図１に示すデータ値を用いて説明すると、エリアサーバ２０ｂから受信した各携帯端末３０４〜３０６における認証結果データは、「０．３」、「０．５」および「０．８」であるが、認証度が「０．８」と高い携帯端末３０６が存在するので、ここでは、エリアＢに捜索対象人がいる可能性が高いと判断する。
【００３８】
システムサーバ１０は、エリアＢを管轄するエリアサーバ２０ｂに対して、顔認証用データおよび上記の一のエリアに特定された旨を通知する（Ｓ３０７）。
【００３９】
エリアサーバ２０ｂは、管轄するエリアＢに存在する各携帯端末に対して、捜索対象人物を識別する情報を通知する（Ｓ３０８）。具体的には、捜索対象人物を識別する情報として、顔認証に必要な顔データの他に氏名などが通知される。図１において、携帯端末３０４〜３０６のみでなく、新たにエリアＢに入ってきた携帯端末にも通知される。なお、図１においては、携帯端末３０４〜３０６が捜索対象人物を識別する情報を既に、顔認証ＤＢ３４に持っていることが前提とされているが、例えば、そのうちの何台かが顔認証ＤＢ３４にエリアサーバ２０ｂから通知される捜索対象人物を識別する情報を有していない場合には、図５に示すように、時系列や犯罪の重大さの程度などの基準により、ここでは顔認証用データを記号Ａ、Ｂ、Ｃ、Ｄ、Ｅとし、顔認証ＤＢ３４に４人分の顔認証用データしか格納できないものとすると、データが顔認証ＤＢ３４から削除されるとともに、捜索対象人物を識別する情報が顔認証ＤＢ３４に追加されることであってもよい。
【００４０】
エリアＢに存在する各携帯端末３０４〜３０６などの顔認証部３３は、撮像された静止画像データまたは、動画像データのうちからキャプチャされた静止画データに基づいて顔認証ＤＢ３４を参照して、顔認証処理を実行する（Ｓ３０９）。この顔認証処理は、上記のステップＳ３０２と同様であり、既知の種々の技術が用いられることによって実行されてよい。なお、エリアＢに存在する各携帯端末は、エリアサーバ２０ｂから所定の通知を受信して、各携帯端末のユーザがその通知に気付いて、ボタンの押下げなどの操作により、撮像を開始することであっても、または、所定の通知を受信した各携帯端末がユーザの操作を必要とすることなく自動的にその撮像を開始することであってもよい。
【００４１】
そして、認証度が相当程度に高くなったとき、例えば、０．８から０．９となったときや、０．８から１．０となったときに、警察側に警告が発せられる（Ｓ３１０）。この警告は、システムサーバなどから警察側の情報処理装置にデータとして送信されても、また、ユーザが電話により音声で通報することであってもよい。
【００４２】
警察側では、警告を受け取ると、そのエリアの近傍に位置する警察官などに連絡し、連絡を受けた警察官が、現場に赴き、捜索対象人物と接触する。警察官への連絡は、その者が所有する移動体通信端末へ警察側の情報処理装置などから自動的に必要な情報が送信されることによって実現されてもよい。
【００４３】
上記の実施の形態によれば、一般に顔認証技術は、人物の顔を正面から撮影したデータが完全一致に近づきやすくなる特性を持つので、顔を正面から撮影することができず、顔認証が比較的低い場合であっても、周囲の（特に一番撮影対象となる人物の正面に近い場所に位置する）撮像装置からの情報を元に照合するとともに、複数台の撮像装置から顔認証を行うことができる。特に、捜索対象人物が犯罪者などの周囲への警戒が強い者であるときは、一台の端末装置で顔を正面から撮影することは通常、困難である場合が多いので特に有効となる。
【００４４】
また、携帯電話機などの移動体通信端末の限りあるメモリ資源に格納された顔認証用データを認証度の高い情報に基づいて周囲の携帯電話機などへ送信することで、複数の携帯電話機で様々な方向から撮像することによって、捜索対象人物の顔の正面からの撮影確率が高まり、効率よく顔認証精度を向上し、さらに捜査の効率化を図ることができる。
【００４５】
次に、本発明の第２の実施の形態について図面を参照して詳細に説明する。
【００４６】
図６を参照すると、本実施の形態における認証システムは、上記の第１の実施の形態と、システムサーバ１０を構成に含まない点が相違するが、その他の点は基本的に同様であるので重複する説明は省略する。
【００４７】
各エリアサーバ２０ａ、２０ｂは、それぞれ自機の管轄するエリアに存在する各携帯端末３０１〜３０３、各携帯端末３０４〜３０６から撮像された画像データに基づく顔認証結果データを受け取り、いずれかの携帯端末の認証度が所定の値より高く、捜索対象人物がそのエリアに存在する可能性が高いと判断したときや、各端末の認証度の平均が相当程度に高いときなどに、そのエリアに位置する各携帯端末に捜索対象人物を識別する情報を通知する。具体的には、捜索対象人物を識別する情報として、顔認証に必要な顔データの他に氏名などを通知する。
【００４８】
ここで、各エリアサーバ２０の管轄するエリアとして、一般的な大規模収容の基地局単位とすると、携帯端末からの電波の指向性と電波強度によりおおよその方向と距離を算出することができるが、数十キロメートルなどと比較的捜索範囲が大きくなるので、各携帯端末のＧＰＳ機能を利用して、正確な位置情報を収集して、例えば、図７に示すようなマッピングを行い、認証度が所定の値より高い携帯端末の付近に位置する各携帯端末にのみ捜索対象人物を識別する情報を通知することとすると捜索の効率化を図ることができる。
【００４９】
なお、ＧＰＳ機能は、地下街、天候、建築物の谷間などの周囲の環境によっては使用できない場合があるので、基地局単位での測定もそのような際には特に有用である。
【００５０】
本実施の形態おけるその他の顔認証を行う処理のフローは、上記の第１の実施の形態と基本的には同様である。
【００５１】
次に、本発明の第３の実施の形態について図面を参照して詳細に説明する。
【００５２】
図８を参照すると、本実施の形態における認証システムは、上記の第１、第２の実施の形態と、システムサーバ１０、エリアサーバ２０を構成に含まない点が相違するが、各携帯端末の構成は基本的に同様であるので重複する説明は省略する。
【００５３】
本実施の形態おける各携帯端末は、携帯端末間での近接間通信を行う機能を有している。例えば、赤外線、ＢＬＵＥＴＯＯＴＨなどである。
【００５４】
各携帯端末は、自機が撮像した人物の顔データの認証度が所定の値より高く、捜索対象人物が自機の近くのエリアに存在する可能性が高いと判断したときは、自機の周りに位置する各携帯端末に捜索対象人物を識別する情報を近接間通信で通知する。具体的には、捜索対象人物を識別する情報として、氏名および顔データなどを、半径１０メートルの範囲で発信する。
【００５５】
なお、捜索対象人物を識別する情報が無限に拡散していくことを回避すべく、マスタとなった最初の携帯端末からのみ情報が一度だけ発信されることとしてもよい。
【００５６】
上記の実施の形態によれば、携帯端末側で顔認証を随時行い、サーバ装置などを用いることなく周囲の携帯端末へも顔認証用データが一斉報知され、探索エリアが広がるので、捜索対象人物が移動している場合においても有効である。
【００５７】
さらに、上記の各実施の形態に追加して、捜査に役立った度合いに応じて報奨金を得る仕組みが追加されてもよい。例えば、情報を提供した複数人で、指名手配犯の報奨金である１千万円を分配することである。この際の分配基準は、顔認証精度が最も高いデータを送信した端末のユーザや、長時間顔認証の類似データを送信していた端末のユーザを条件として配分することであってもよい。このように、課金システムを組み込むことにより、本システムへの加入の動機付けとなり、システム加入者の増加を図り、本システムの有効性を高める効果を期待することができる。
【００５８】
なお、上述する各実施の形態は、本発明の好適な実施の形態であり、本発明の要旨を逸脱しない範囲内において種々変更実施が可能である。例えば、本実施の形態では、携帯端末３０１〜３０６は、携帯電話機としたが、この携帯端末の有する機能を実現することができれば、車両の側部や後部を映すカメラ機構、有料道路のエリア特定装置、エレベータ・電車などに設けられたカメラ、その他の撮像装置などによって実現されてもよい。
【００５９】
また、上記の実施の形態におけるシステムサーバ１０、エリアサーバ２０ａ、２０ｂおよび携帯端末３０１〜３０６の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００６０】
上述する各実施の形態は、エリアサーバ２０ａ、２０ｂおよび携帯端末３０１〜３０６が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００６１】
【図１】本発明の第１の実施形態における認証システムの概略構成図である。
【図２】本発明の第１の実施形態における端末装置の機能構成図である。
【図３】本発明の第１の実施形態における認証処理動作を示すシーケンス図である。
【図４】本発明の第１の実施形態における認証結果データの分布図である。
【図５】本発明の第１の実施形態における顔認証ＤＢのデータ構成を示す図である。
【図６】本発明の第２の実施形態における認証システムの概略構成図である。
【図７】本発明の第２の実施形態におけるマッピングの一例を示す図である。
【図８】本発明の第３の実施形態における認証システムの概略構成図である。
【符号の説明】
【００６２】
１０    システムサーバ
２０ａ、２０ｂ    エリアサーバ
３０１〜３０６    携帯端末
５００    ネットワーク
【図１】
0004742734.tif 000002
【図２】
0004742734.tif 000003
【図３】
0004742734.tif 000004
【図４】
0004742734.tif 000005
【図５】
0004742734.tif 000006
【図６】
0004742734.tif 000007
【図７】
0004742734.tif 000008
【図８】
0004742734.tif 000009